(57)【特許請求の範囲】
【請求項１】
ＵＥは、Ｄ２Ｎ ＭＡＣ ＰＤＵを整理する場合パディングＰａｄｄｉｎｇリソースサイズを決定するステップであって、前記Ｄ２Ｎ ＭＡＣ ＰＤＵはＤ２Ｎネットワークリンクにおけるメディア接続制御層のプロトコルデータユニットである前記決定ステップと、
前記ＵＥは、前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断するステップであって、前記Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントであり、前記Ｄ２Ｄ Ｐａｄｄｉｎｇ ＢＳＲはＤ２Ｄ通信のパディングバッファ状態報告である前記判断ステップと、
を備え、
前記ＵＥが、前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断するステップは、
Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより低い場合、前記ＰａｄｄｉｎｇリソースがＤ２Ｄ Ｐａｄｄｉｎｇ ＢＳＲ及びＤ２Ｎ Ｐａｄｄｉｎｇ ＢＳＲの搬送に十分に足りる場合、Ｄ２Ｄ Ｐａｄｄｉｎｇ ＢＳＲ及びＤ２Ｎ Ｐａｄｄｉｎｇ ＢＳＲをトリガーするように決定し、前記ＰａｄｄｉｎｇリソースがＤ２Ｎ Ｐａｄｄｉｎｇ ＢＳＲを伝送した後、残りリソースがＤ２Ｄ Ｐａｄｄｉｎｇ ＢＳＲの伝送に足りない場合、Ｄ２Ｎ Ｐａｄｄｉｎｇ ＢＳＲをトリガーするがＤ２Ｎ Ｐａｄｄｉｎｇ ＢＳＲをトリガーしないように決定するステップであって、前記Ｄ２Ｎ  ＢＳＲは、Ｄ２Ｎネットワークリンクパディングバッファ状態報告である前記決定ステップと、
Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより高い場合、前記ＰａｄｄｉｎｇリソースがＤ２Ｄ Ｐａｄｄｉｎｇ ＢＳＲの伝送に十分に足りる場合、Ｄ２Ｄ Ｐａｄｄｉｎｇ ＢＳＲをトリガーするように決定するステップと、
を含むことを特徴とするバッファ状態報告（ＢＳＲ）のトリガー方法。
【請求項２】
前記Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより高い場合、前記ＰａｄｄｉｎｇリソースがＤ２Ｄ Ｐａｄｄｉｎｇ ＢＳＲの伝送に十分に足りる場合、Ｄ２Ｄ Ｐａｄｄｉｎｇ ＢＳＲをトリガーするように決定するステップは、
前記ＰａｄｄｉｎｇリソースがＤ２Ｄ Ｐａｄｄｉｎｇ ＢＳＲを伝送した後、残りリソースがＤ２Ｎ Ｐａｄｄｉｎｇ ＢＳＲの伝送に足りない場合、Ｄ２Ｄ Ｐａｄｄｉｎｇ ＢＳＲをトリガーするがＤ２Ｎ Ｐａｄｄｉｎｇ ＢＳＲをトリガーしないように決定するステップと、
前記ＰａｄｄｉｎｇリソースがＤ２Ｄ Ｐａｄｄｉｎｇ ＢＳＲ及びＤ２Ｎ Ｐａｄｄｉｎｇ ＢＳＲの伝送に十分に足りる場合、Ｄ２Ｄ Ｐａｄｄｉｎｇ ＢＳＲ及びＤ２Ｎ Ｐａｄｄｉｎｇ ＢＳＲをトリガーするように決定するステップと、
を備えることを特徴とする請求項１に記載のバッファ状態報告（ＢＳＲ）のトリガー方法。
【請求項３】
前記Ｐａｄｄｉｎｇリソースサイズを決定するステップは、
前記Ｄ２Ｎ ＭＡＣ ＰＤＵが位置するサブフレームにおける前記ＵＥのアップリンクリソースから、以下のリソースを引いて、前記Ｐａｄｄｉｎｇリソースサイズを取得するステップを備え、
Ｄ２Ｎ Ｐａｄｄｉｎｇ ＢＳＲを搬送する以外の他のＤ２Ｎ ＭＡＣ ＣＥにより占有されたリソース、前記占有されたリソースはＭＡＣサブヘッド及びペイロードに占有されたリソースを含み、及び、
アップリンク共有制御チャネル（ＵＬ−ＣＣＣＨ）以外の、Ｄ２Ｎリンクにおけるロジカルチャネルデータに占有されたリソース、前記占有されたリソースはＭＡＣサブヘッド及びペイロードに占有されたリソースを含み、及び、
Ｄ２Ｄ Ｐａｄｄｉｎｇ ＢＳＲを搬送するためのリソース以外の他のＤ２Ｄ ＭＡＣ ＣＥにより占有されたリソース、前記占有されたリソースはＭＡＣサブヘッド及びペイロードに占有されたリソースを含むことを特徴とする請求項１に記載のバッファ状態報告（ＢＳＲ）のトリガー方法。
【請求項４】
第１優先レベル順番または第２優先レベル順番に従い、前記Ｄ２Ｎ ＭＡＣ ＰＤＵが位置するサブフレームにおける前記ＵＥのアップリンクリソースからリソースを引き、
前記第１優先レベル順番において、優先レベルの高低順は、
前記Ｄ２Ｎ Ｐａｄｄｉｎｇ ＢＳＲを搬送する以外の他のＤ２Ｎ ＭＡＣ ＣＥにより占有されたリソース、
前記ＵＬ−ＣＣＣＨ以外のＤ２Ｎリンクにおけるロジカルチャネルデータに占有されたリソース、
前記Ｄ２Ｄ Ｐａｄｄｉｎｇ ＢＳＲを搬送するためのリソース以外の他のＤ２Ｄ ＭＡＣ ＣＥにより占有されたリソース、との順番であり、
前記第２優先レベル順番において、優先レベルの高低順は、
前記Ｄ２Ｎ Ｐａｄｄｉｎｇ ＢＳＲを搬送する以外の他のＤ２Ｎ ＭＡＣ ＣＥにより占有されたリソース、
前記Ｄ２Ｄ Ｐａｄｄｉｎｇ ＢＳＲを搬送するためのリソース以外の他のＤ２Ｄ ＭＡＣ ＣＥにより占有されたリソース、
前記ＵＬ−ＣＣＣＨ以外のＤ２Ｎリンクにおけるロジカルチャネルデータに占有されたリソース、との順番であることを特徴とする請求項３に記載のバッファ状態報告（ＢＳＲ）のトリガー方法。
【請求項５】
前記Ｄ２Ｎ ＭＡＣ ＰＤＵに含まれるＭＡＣ ＣＥに対応するＭＡＣサブヘッドすべては、含まれるデータユニットに対応するＭＡＣサブヘッドの前においておき、前記Ｄ２Ｎ ＭＡＣ ＰＤＵにおいて、前記ＭＡＣ ＣＥ及びデータユニットがＭＡＣ ＰＤＵペイロードにおけるおく順番は対応のＭＡＣサブヘッドのおく順番とマッチすることを特徴とする請求項１ないし請求項４のいずれか一項に記載のバッファ状態報告（ＢＳＲ）のトリガー方法。
【請求項６】
Ｄ２Ｎ ＭＡＣ ＰＤＵを整理する場合パディングＰａｄｄｉｎｇリソースサイズを決定する決定ユニットであって、前記Ｄ２Ｎ ＭＡＣ ＰＤＵはＤ２Ｎネットワークリンクにおけるメディア接続制御層のプロトコルデータユニットである前記決定ユニットと、
前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断する判断ユニットであって、前記Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントであり、前記Ｄ２Ｄ Ｐａｄｄｉｎｇ ＢＳＲはＤ２Ｄ通信のパディングバッファ状態報告である前記判断ユニットと、
を備え、
前記判断ユニットは、
Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより低い場合、前記ＰａｄｄｉｎｇリソースがＤ２Ｄ Ｐａｄｄｉｎｇ ＢＳＲ及びＤ２Ｎ Ｐａｄｄｉｎｇ ＢＳＲの搬送に十分に足りる場合、Ｄ２Ｄ Ｐａｄｄｉｎｇ ＢＳＲ及びＤ２Ｎ Ｐａｄｄｉｎｇ ＢＳＲをトリガーするように決定し、前記ＰａｄｄｉｎｇリソースがＤ２Ｎ Ｐａｄｄｉｎｇ ＢＳＲを伝送した後、残りリソースがＤ２Ｄ Ｐａｄｄｉｎｇ ＢＳＲの伝送に足りない場合、Ｄ２Ｎ Ｐａｄｄｉｎｇ ＢＳＲをトリガーするがＤ２Ｎ Ｐａｄｄｉｎｇ ＢＳＲをトリガーしないように決定し、前記Ｄ２Ｎ Ｐａｄｄｉｎｇ ＢＳＲはＤ２Ｎネットワークリンクのパディングバッファ状態報告であり、
Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより高い場合、前記ＰａｄｄｉｎｇリソースがＤ２Ｄ Ｐａｄｄｉｎｇ ＢＳＲの伝送に十分に足りる場合、Ｄ２Ｄ Ｐａｄｄｉｎｇ ＢＳＲをトリガーするように決定することを特徴とするバッファ状態報告（ＢＳＲ）トリガー装置。
【請求項７】
前記判断ユニットは、
前記ＰａｄｄｉｎｇリソースがＤ２Ｄ Ｐａｄｄｉｎｇ ＢＳＲを伝送した後、残りリソースがＤ２Ｎ Ｐａｄｄｉｎｇ ＢＳＲの伝送に足りない場合、Ｄ２Ｄ Ｐａｄｄｉｎｇ ＢＳＲをトリガーするがＤ２Ｎ Ｐａｄｄｉｎｇ ＢＳＲをトリガーしないように決定し、
前記ＰａｄｄｉｎｇリソースがＤ２Ｄ Ｐａｄｄｉｎｇ ＢＳＲ及びＤ２Ｎ Ｐａｄｄｉｎｇ ＢＳＲの伝送に十分に足りる場合、Ｄ２Ｄ Ｐａｄｄｉｎｇ ＢＳＲ及びＤ２Ｎ Ｐａｄｄｉｎｇ ＢＳＲをトリガーするように決定することを特徴とする請求項６に記載のバッファ状態報告（ＢＳＲ）トリガー装置。
【請求項８】
前記決定ユニットは、
前記Ｄ２Ｎ ＭＡＣ ＰＤＵが位置するサブフレームにおける前記ＵＥのアップリンクリソースから、以下のリソースを引いて、前記Ｐａｄｄｉｎｇリソースサイズを取得し、
Ｄ２Ｎ Ｐａｄｄｉｎｇ ＢＳＲを搬送する以外の他のＤ２Ｎ ＭＡＣ ＣＥにより占有されたリソース、前記占有されたリソースはＭＡＣサブヘッド及びペイロードに占有されたリソースを含み、及び、
除アップリンク共有制御チャネル（ＵＬ−ＣＣＣＨ）以外の、Ｄ２Ｎリンクにおけるロジカルチャネルデータに占有されたリソース、前記占有されたリソースはＭＡＣサブヘッド及びペイロードに占有されたリソースを含み、及び、
Ｄ２Ｄ Ｐａｄｄｉｎｇ ＢＳＲを搬送するためのリソース以外の他のＤ２Ｄ ＭＡＣ ＣＥにより占有されたリソース、前記占有されたリソースはＭＡＣサブヘッド及びペイロードに占有されたリソースを含むことを特徴とする請求項６に記載のバッファ状態報告（ＢＳＲ）トリガー装置。
【請求項９】
前記決定ユニットは、
第１優先レベル順番または第２優先レベル順番に従い、前記Ｄ２Ｎ ＭＡＣ ＰＤＵが位置するサブフレームにおける前記ＵＥのアップリンクリソースからリソースを引き、
前記第１優先レベル順番において、優先レベルの高低順は、
前記Ｄ２Ｎ Ｐａｄｄｉｎｇ ＢＳＲを搬送する以外の他のＤ２Ｎ ＭＡＣ ＣＥにより占有されたリソース、
前記ＵＬ−ＣＣＣＨ以外のＤ２Ｎリンクにおけるロジカルチャネルデータに占有されたリソース、
前記Ｄ２Ｄ Ｐａｄｄｉｎｇ ＢＳＲを搬送するためのリソース以外の他のＤ２Ｄ ＭＡＣ ＣＥにより占有されたリソース、との順番であり、
前記第２優先レベル順番において、優先レベルの高低順は、前記Ｄ２Ｎ Ｐａｄｄｉｎｇ ＢＳＲを搬送する以外の他のＤ２Ｎ ＭＡＣ ＣＥにより占有されたリソース、
前記Ｄ２Ｄ Ｐａｄｄｉｎｇ ＢＳＲを搬送するためのリソース以外の他のＤ２Ｄ ＭＡＣ ＣＥにより占有されたリソース、
前記ＵＬ−ＣＣＣＨ以外のＤ２Ｎリンクにおけるロジカルチャネルデータに占有されたリソース、との順番であることを特徴とする請求項８に記載のバッファ状態報告（ＢＳＲ）トリガー装置。
【請求項１０】
前記Ｄ２Ｎ ＭＡＣ ＰＤＵに含まれるＭＡＣ ＣＥに対応するＭＡＣサブヘッドすべては、含まれるデータユニットに対応するＭＡＣサブヘッドの前においておき、前記Ｄ２Ｎ ＭＡＣ ＰＤＵにおいて、前記ＭＡＣ ＣＥ及びデータユニットがＭＡＣ ＰＤＵペイロードにおけるおく順番は対応のＭＡＣサブヘッドのおく順番とマッチすることを特徴とする請求項６ないし請求項９のいずれか一項に記載のバッファ状態報告（ＢＳＲ）トリガー装置。
【発明の詳細な説明】
【技術分野】
【０００１】
本発明は無線通信分野に関し、特にバッファ状態報告（ＢＳＲ）のトリガー方法及び装置に関する。
【背景技術】
【０００２】
未来のモバイル通信システムの発展とともに、ユーザーの需要をさらに満足させ、機器間の情報交換率を向上させるため、Ｄ２Ｄ発見（Ｄｅｖｉｃｅ ｔｏ Ｄｅｖｉｃｅ Ｄｉｓｃｏｖｅｒｙ）及びＤ２Ｄ通信（Ｄｅｖｉｃｅ ｔｏ Ｄｅｖｉｃｅ Ｃｏｍｍｕｎｉｃａｔｉｏｎ）メカニズムが導入されている。
【０００３】
ＬＴＥ（Ｌｏｎｇ Ｔｅｒｍ Ｅｖｏｌｕｔｉｏｎ）システムにおいて、通信にはネットワーク集中制御モード、即ち、Ｄ２Ｎネットワーク（Ｄｅｖｉｃｅ ｔｏ Ｎｅｔｗｏｒｋ）伝送モードが採用され、図１はＤ２Ｎ伝送のシステムアーキテクチャを示す図である。図１に示すように、ＵＥ（Ｕｓｅｒ`ｓ Ｅｑｕｉｐｍｅｎｔ）のＵＬ＿ＤＬデータすべてはｅＮｏｄｅＢ（ｅｖｏｌｖｅ ＮｏｄｅＢ）の制御に従って送受信される。ＵＥとＵＥ間の通信はｅＮｏｄｅＢにより転送・制御される。よって、ＵＥとＵＥには、直接の通信回線がない。
【０００４】
ＬＴＥ Ｒｅｌ-１１前のバージョンにおいて、Ｄ２Ｎシステムアーキテクチャのバッファ状態報告（Ｂｕｆｆｅｒ  Ｓｔａｔｅ  Ｒｅｐｏｒｔｉｎｇ，ＢＳＲ）のトリガーメカニズムは、一般的に、標準ＢＳＲ（Ｒｅｇｕｌａｒ ＢＳＲ）、周期ＢＳＲ（Ｐｅｒｉｏｄｉｃ ＢＳＲ）及びパディングＢＳＲ（Ｐａｄｄｉｎｇ ＢＳＲ）を含む。
【０００５】
基地局は、ＵＥにアップリンクリソースを割り当て、当該アップリンクリソースのサイズがちょうとアップリンクデータの伝送ができるサイズであれば、ＢＳＲをトリガーしない。ＵＥは当該アップリンクリソースにてアップリンクデータを送信する。当該アップリンクリソースがすべてのアップリンクデータの伝送に足りない場合、Ｒｅｇｕｌａｒ ＢＳＲまたはＰｅｒｉｏｄｉｃ ＢＳＲを優先的に報告して、基地局は、ＢＳＲに埋め込まれたＵＥが必要とするアップリンクデータ量をベースとして、その後の伝送スケジューリングを行う。ＵＥがメディア接続制御（Ｍｅｄｉａ Ａｃｃｅｓｓ Ｃｏｎｔｒｏｌ，ＭＡＣ）プロトコルデータユニット（Ｐｒｏｔｏｃｏｌ Ｄａｔａ Ｕｎｉｔ，ＰＤＵ）を協調する場合、１つのＭＡＣ ＰＤＵには多くて１のＢＳＲが含まれる。複数のＢＳＲが同時にトリガーされる場合、最高優先レベルのＢＳＲのみを報告する。ここで、Ｒｅｇｕｌａｒ ＢＳＲの優先レベル=Ｐｅｒｉｏｄｉｃ ＢＳＲの優先レベル＞ＢＳＲの優先レベル。が含まれない。
【０００６】
ＬＴＥシステムにおいて、接近する機器たちお互いにＤ２Ｄ Ｃｏｍｍｕｎｉｃａｔｉｏｎ伝送を直接に行うことが認められている。図２はＤ２Ｄ伝送モードのシステムアーキテクチャを示す図である。図２に示すように、 ＵＥとＵＥ間の通信回線は、Ｄ２Ｄ Ｌｉｎｋ（Ｄｅｖｉｃｅ ｔｏ Ｄｅｖｉｃｅ Ｌｉｎｋ）であり、ＵＥとｅＮｏｄｅＢ間のセルラー通信回線はＤ２Ｎネットワークセルラーリンク（ＤｅｖｉＣＥ ｔｏ Ｎｅｔｗｏｒｋ Ｌｉｎｋ，Ｄ２Ｎネットワークセルラーリンク、Ｄ２Ｎ Ｌｉｎｋ）である。Ｄ２Ｄ Ｃｏｍｍｕｎｉｃａｔｉｏｎのリソース割り当てとしては、基地局によりＤ２Ｄ Ｃｏｍｍｕｎｉｃａｔｉｏｎスケジューリングシグナリングを搬送するリソース及びＤ２Ｄ Ｃｏｍｍｕｎｉｃａｔｉｏｎデータを搬送するリソースを割り当てる。よって、ＵＥはＤ２Ｎセルラーリンクを介してｅＮｏｄｅＢにＤ２Ｄ伝送ためのリソースをリクエストする必要がある。 Ｄ２ＤリソースのリクエストはＤ２Ｎ ＢＳＲにより実施され、また、Ｄ２ＤリソースのリクエストはＤ２Ｎ ＢＳＲと異なり、別個の動作である。
【０００７】
Ｄ２Ｄ ＢＳＲのトリガーメカニズムは、Ｄ２Ｄ Ｒｅｇｕｌａｒ ＢＳＲ、Ｄ２Ｄ Ｐｅｒｉｏｄｉｃ ＢＳＲ及びＤ２Ｄ Ｐａｄｄｉｎｇ ＢＳＲを含む。Ｄ２Ｄ Ｒｅｇｕｌａｒ ＢＳＲ及びＤ２Ｄ Ｐｅｒｉｏｄｉｃ ＢＳＲ場合、トリガーメカニズムは、Ｄ２Ｎ Ｒｅｇｕｌａｒ ＢＳＲ及びＤ２Ｎ Ｐｅｒｉｏｄｉｃ ＢＳＲのトリガーメカニズムそのまま利用することができるが、Ｄ２Ｄ Ｐａｄｄｉｎｇ ＢＳＲの場合、トリガーメカニズムは、Ｄ２Ｎ Ｐａｄｄｉｎｇ ＢＳＲと異なり、新しいトリガーメカニズムの導入が必要となる。
【発明の概要】
【発明が解決しようとする課題】
【０００８】
本発明に係る実施例は、ＢＳＲトリガー方法及び装置を提供し、従来にＤ２Ｄ Ｐａｄｄｉｎｇ ＢＳＲトリガーメカニズムがない問題点を解決する。
【課題を解決するための手段】
【０００９】
本発明に係る実施例により提供されるＢＳＲトリガー方法は、
ＵＥはＤ２Ｎ ＭＡＣ ＰＤＵを整理する（ｏｒｇａｎｉｚｅ）場合Ｐａｄｄｉｎｇリソースサイズを決定するステップであって、前記Ｄ２Ｎ ＭＡＣ ＰＤＵはＤ２Ｎネットワークリンクにおけるメディア接続制御層のプロトコルデータユニットであるステップと、
前記ＵＥは、前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断するステップであって、前記Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントであり、前記Ｄ２Ｄ Ｐａｄｄｉｎｇ ＢＳＲはＤ２Ｄ通信のパディングバッファ状態報告である前記ステップと、を備える。
【００１０】
本発明に係る実施例により提供されるＢＳＲトリガー装置は、
Ｄ２Ｎ ＭＡＣ ＰＤＵを整理する場合Ｐａｄｄｉｎｇリソースサイズを決定する決定ユニットであって、前記Ｄ２Ｎ ＭＡＣ ＰＤＵはＤ２Ｎネットワークリンクにおけるメディア接続制御層のプロトコルデータユニットである前記決定ユニットと、
前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断する判断ユニットであって、前記Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントであり、前記Ｄ２Ｄ Ｐａｄｄｉｎｇ ＢＳＲはＤ２Ｄ通信のパディングバッファ状態報告である前記判断ユニットと、を備える。
【発明の効果】
【００１１】
本発明の実施例によれば、ＵＥはＤ２Ｎ ＭＡＣ ＰＤＵを整理する場合Ｐａｄｄｉｎｇリソースサイズを決定し、Ｐａｄｄｉｎｇリソースサイズ及びＤ２Ｄ Ｐａｄｄｉｎｇ ＢＳＲ ＭＡＣ ＣＥの優先レベルに基づきＤ２Ｄ Ｐａｄｄｉｎｇ ＢＳＲをトリガーするか否かを判断する。これによってＤ２Ｄ Ｐａｄｄｉｎｇ ＢＳＲトリガーメカニズムを実現する。
【図面の簡単な説明】
【００１２】
本発明に係る実施例の技術をより明確に説明するため、以下、実施例に利用される図面を簡単に紹介する。以下で説明する図面は本発明の一部の実施例にすぎず、当業者にとって、創造力を発揮しなくても、これらの図面により他の図面を取得することができる。
【図１】は従来技術のＤ２Ｎ伝送モードのシステムアーキテクチャを示す図である。
【図２】は従来技術のＤ２Ｄ伝送モードのシステムアーキテクチャを示す図である。
【図３】は本発明に係る実施例のＢＳＲトリガー方法のフローチャートである。
【図４】は本発明に係る実施例のＤ２Ｎ Ｐａｄｄｉｎｇ ＢＳＲへのトリガー要否を判断するフローチャートである。
【図５】は本発明に係る実施例のＤ２Ｄ Ｐａｄｄｉｎｇ ＢＳＲ及びＤ２Ｎ Ｐａｄｄｉｎｇ ＢＳＲへのトリガー要否を判断するフローチャートである。
【図６】は本発明に係る実施例のＤ２Ｄ Ｐａｄｄｉｎｇ ＢＳＲへのトリガー要否を判断するフローチャートである。
【図７】は本発明に係る実施例の他のＤ２Ｄ Ｐａｄｄｉｎｇ ＢＳＲ及びＤ２Ｎ Ｐａｄｄｉｎｇ ＢＳＲへのトリガー要否を判断するフローチャートである。
【図８】は本発明に係る実施例のＭＡＣサブヘッドのフォーマットを示す図である。
【図９】は本発明に係る実施例のＢＳＲトリガー装置の構造図である。
【図１０】は本発明に係る実施例のＵＥの構造図である。
【発明を実施するための形態】
【００１３】
本発明の実施例における目的、技術方案と利点を明確にするため、以下に本発明の実施例における図と結合して本発明の実施例における技術方案の詳細を明確に、完全に説明する。当然、記載の実施例は本発明の実施例の一部に過ぎず、全ての実施例ではない。本発明における実施例に基づき、当業者は、創造性作業を行わないことを前提として、取得したその他の実施例は、本発明の保護範囲に属する。
【００１４】
図３は、本発明に係る実施例のＢＳＲトリガー方法のフローチャートであり、Ｄ２Ｄ Ｐａｄｄｉｎｇ ＢＳＲのトリガーには、以下のステップを備える。
【００１５】
ステップ３１：ＵＥはＤ２Ｎ ＭＡＣ ＰＤＵを整理する場合Ｐａｄｄｉｎｇリソースサイズを決定する。前記Ｐａｄｄｉｎｇリソースは、Ｄ２Ｎ ＭＡＣ ＰＤＵが位置するサブフレームにおけるＵＥに割り当てたアップリンクリソースから、前記ＵＥにより伝送するＤ２Ｎデータ及び制御情報に占有されるリソースを引いた後の残りリソースである。
【００１６】
このましくは、Ｄ２Ｄ Ｐａｄｄｉｎｇ ＢＳＲへのトリガー要否を決定するのに利用されたＰａｄｄｉｎｇリソースサイズは、ＵＥがＤ２Ｎ ＭＡＣ ＰＤＵが位置するサブフレームにおけるアップリンクリソースから以下のリソースを引いて、前記Ｐａｄｄｉｎｇリソースサイズを取得する。
【００１７】
Ｄ２Ｎ Ｐａｄｄｉｎｇ ＢＳＲを搬送する以外の他のＤ２Ｎ ＭＡＣ ＣＥにより占有されたリソース。ここで、Ｄ２Ｎ ＭＡＣ ＣＥにより占有されたリソースはＭＡＣサブヘッド及びペイロードに占有されたリソースを含む。
【００１８】
及び、ＵＬ−ＣＣＣＨ以外の、Ｄ２Ｎリンクにおけるロジカルチャネルデータに占有されたリソース。ここで、Ｄ２Ｎリンクにおけるロジカルチャネルデータに占有されたリソースはＭＡＣサブヘッド及びペイロードに占有されたリソースを含む。
【００１９】
及び、Ｄ２Ｄ Ｐａｄｄｉｎｇ ＢＳＲを搬送するためのリソース以外の他のＤ２Ｄ ＭＡＣ ＣＥにより占有されたリソース。ここで、Ｄ２Ｄ ＭＡＣ ＣＥにより占有されたリソースはＭＡＣサブヘッド及びペイロードに占有されたリソースを含む。
【００２０】
さらに、Ｄ２Ｎ ＭＡＣ ＰＤＵが位置するサブフレームにおけるＵＥのアップリンクリソースから、以下の第１優先レベル順番または第２優先レベル順番に従い、以下のリソースを引いて、前記Ｐａｄｄｉｎｇリソースサイズを取得する。
【００２１】
第１優先レベル順番において、優先レベルの高低順は、Ｄ２Ｎ Ｐａｄｄｉｎｇ ＢＳＲを搬送する以外の他のＤ２Ｎ ＭＡＣ ＣＥにより占有されたリソース、ＵＬ−ＣＣＣＨ以外のＤ２Ｎリンクにおけるロジカルチャネルデータに占有されたリソース、Ｄ２Ｄ Ｐａｄｄｉｎｇ ＢＳＲを搬送するためのリソース以外の他のＤ２Ｄ ＭＡＣ ＣＥにより占有されたリソース、との順番である。
【００２２】
第２優先レベル順番において、優先レベルの高低順は、Ｄ２Ｎ Ｐａｄｄｉｎｇ ＢＳＲを搬送する以外の他のＤ２Ｎ ＭＡＣ ＣＥにより占有されたリソース、Ｄ２Ｄ Ｐａｄｄｉｎｇ ＢＳＲを搬送するためのリソース以外の他のＤ２Ｄ ＭＡＣ ＣＥにより占有されたリソース、ＵＬ−ＣＣＣＨ以外のＤ２Ｎリンクにおけるロジカルチャネルデータに占有されたリソース、との順番である。
【００２３】
実施する場合、基地局がアップリンクサブフレームにおいて前記ＵＥのために割り当てたリソースサイズが、前記ＵＥが前記サブフレームにおいて伝送するＤ２Ｎデータ（対応のＭＡＣサブヘッド及びペイロードが含まれる）及び制御情報（Ｄ２Ｎ Ｐａｄｄｉｎｇ ＢＳＲが含まれない）に占有されたリソースサイズより大きい場合、前記ＵＥは、Ｐａｄｄｉｎｇリソースが存在すると判断し、かつＰａｄｄｉｎｇリソースサイズは、基地局が当該サブフレームにおいて割り当てたアップリンクリソースから、Ｄ２Ｎ Ｐａｄｄｉｎｇ ＢＳＲを搬送する以外の他のＤ２Ｎ ＭＡＣ ＣＥにより占有されたリソース、ＵＬ−ＣＣＣＨ以外の、Ｄ２Ｎリンクにおけるロジカルチャネルデータに占有されたリソース、及びＤ２Ｄ Ｐａｄｄｉｎｇ ＢＳＲを搬送するためのリソース以外の他のＤ２Ｄ ＭＡＣ ＣＥにより占有されたリソース、を引いた後の残りリソースである。
【００２４】
ステップ３２：ＵＥは、Ｐａｄｄｉｎｇリソースサイズ及びＤ２Ｄ Ｐａｄｄｉｎｇ ＢＳＲ ＭＡＣ ＣＥの優先レベルにより、Ｄ２Ｄ Ｐａｄｄｉｎｇ ＢＳＲをトリガーするか否かを判断する。Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントであり、Ｄ２Ｄ Ｐａｄｄｉｎｇ ＢＳＲはＤ２Ｄ通信のパディングバッファ状態報告であり、Ｄ２Ｎ Ｐａｄｄｉｎｇ ＢＳＲはＤ２Ｎネットワークリンクのパディングバッファ状態報告である。
【００２５】
このましくは、Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより低い場合、ステップ３１において取得したＰａｄｄｉｎｇリソースがＤ２Ｄ Ｐａｄｄｉｎｇ ＢＳＲ及びＤ２Ｎ Ｐａｄｄｉｎｇ ＢＳＲの搬送に十分であると判断する場合は、トリガーＤ２Ｄ Ｐａｄｄｉｎｇ ＢＳＲ及びＤ２Ｎ Ｐａｄｄｉｎｇ ＢＳＲを決定する。ステップ３１において取得したＰａｄｄｉｎｇリソースがＤ２Ｎ Ｐａｄｄｉｎｇ ＢＳＲを搬送した後の残りリソースがＤ２Ｄ Ｐａｄｄｉｎｇ ＢＳＲの搬送に足りないと判断すれば、Ｄ２Ｎ Ｐａｄｄｉｎｇ ＢＳＲをトリガーするがＤ２Ｎ Ｐａｄｄｉｎｇ ＢＳＲをトリガーしないように決定する。
【００２６】
たとえば、図４に示すように、ＰａｄｄｉｎｇリソースがＤ２Ｎ Ｐａｄｄｉｎｇ ＢＳＲ（ＭＡＣサブヘッド及びペイロードが含まれる）の搬送のみに足りる場合、Ｄ２Ｎ Ｐａｄｄｉｎｇ ＢＳＲをトリガーするが、Ｄ２Ｄ Ｐａｄｄｉｎｇ ＢＳＲをトリガーしないように決定する。図５に示すように、ＰａｄｄｉｎｇリソースがＤ２Ｄ Ｐａｄｄｉｎｇ ＢＳＲ（ＭＡＣサブヘッド及びペイロードが含まれる）及びＤ２Ｎ Ｐａｄｄｉｎｇ ＢＳＲ（ＭＡＣサブヘッド及びペイロード含まれる）の伝送に十分であれば、Ｄ２Ｄ Ｐａｄｄｉｎｇ ＢＳＲ及びＤ２Ｎ Ｐａｄｄｉｎｇ ＢＳＲをトリガーする。
【００２７】
Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより高い場合、ステップ３１において取得したＰａｄｄｉｎｇリソースがＤ２Ｄ Ｐａｄｄｉｎｇ ＢＳＲ（ＭＡＣサブヘッド及びペイロードが含まれる）の伝送に十分であれば、Ｄ２Ｄ Ｐａｄｄｉｎｇ ＢＳＲをトリガーするように決定する。
【００２８】
さらに、上述のステップ３１において取得したＰａｄｄｉｎｇリソースがＤ２Ｄ Ｐａｄｄｉｎｇ ＢＳＲを伝送した後、残りリソースがＤ２Ｎ Ｐａｄｄｉｎｇ ＢＳＲの伝送に足りたいと判断すれば、Ｄ２Ｄ Ｐａｄｄｉｎｇ ＢＳＲをトリガーするが、Ｄ２Ｎ Ｐａｄｄｉｎｇ ＢＳＲをトリガーしないように決定する。上述のステップ３１において取得したＰａｄｄｉｎｇリソースがＤ２Ｄ Ｐａｄｄｉｎｇ ＢＳＲ（ＭＡＣサブヘッド及びペイロードが含まれる）及びＤ２Ｎ Ｐａｄｄｉｎｇ ＢＳＲ（ＭＡＣサブヘッド及びペイロードが含まれる）の伝送に十分に足りるとすれば、Ｄ２Ｄ Ｐａｄｄｉｎｇ ＢＳＲ及びＤ２Ｎ Ｐａｄｄｉｎｇ ＢＳＲをトリガーするように決定する。
【００２９】
例えば、Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより高い場合、図６に示すように、ＰａｄｄｉｎｇリソースがＤ２Ｄ Ｐａｄｄｉｎｇ ＢＳＲ（ＭＡＣサブヘッド及びペイロードが含まれる）の伝送のみに足りる場合、Ｄ２Ｄ Ｐａｄｄｉｎｇ ＢＳＲをトリガーするが、Ｄ２Ｎ Ｐａｄｄｉｎｇ ＢＳＲをトリガーしないように決定する。図７に示すように、ＰａｄｄｉｎｇリソースがＤ２Ｄ Ｐａｄｄｉｎｇ ＢＳＲ（ＭＡＣサブヘッド及びペイロードが含まれる）及びＤ２Ｎ Ｐａｄｄｉｎｇ ＢＳＲ（ＭＡＣサブヘッド及びペイロードが含まれる）の伝送に十分に足りる場合、Ｄ２Ｄ Ｐａｄｄｉｎｇ ＢＳＲ及びＤ２Ｎ Ｐａｄｄｉｎｇ ＢＳＲをトリガーするように決定する。
【００３０】
ステップ３２の以後、ＵＥはアップリンクデータをＭＡＣ ＰＤＵに整理し、かつＭＡＣ層以下のプロトコル層に提供して伝送する必要がある。ＵＥがＭＡＣ ＰＤＵを整理する場合、Ｄ２Ｎ ＭＡＣ ＰＤＵに含まれるＭＡＣ ＣＥに対応するＭＡＣサブヘッドすべては、含まれるデータユニットに対応するＭＡＣサブヘッドの前におく必要がある。Ｄ２Ｎ ＭＡＣ ＰＤＵにおいて、ＭＡＣ ＣＥ及びデータユニットがＭＡＣ ＰＤＵペイロードにおけるおく順番は対応のＭＡＣサブヘッドのおく順番とマッチする。
【００３１】
たとえば、ＭＡＣ ＰＤＵサブヘッドには、Ｄ２Ｎ Ｐａｄｄｉｎｇ ＢＳＲを搬送する以外の他のＤ２Ｎ ＭＡＣ ＣＥにより占有されたリソース、Ｄ２Ｄ Ｐａｄｄｉｎｇ ＢＳＲを搬送するためのリソース以外の他のＤ２Ｄ ＭＡＣ ＣＥにより占有されたリソース、Ｄ２Ｎ Ｐａｄｄｉｎｇ ＢＳＲ ＭＡＣ ＣＥ、Ｄ２Ｄ Ｐａｄｄｉｎｇ ＢＳＲ ＭＡＣ ＣＥ及びＤ２Ｎデータに対応するＭＡＣサブヘッドが含まれる例において、ＭＡＣサブヘッドの１つの可能なフォーマットは、図８に示すように、以下の順番に従っておいておく。Ｄ２Ｎ Ｐａｄｄｉｎｇ ＢＳＲを搬送する以外の他のＤ２Ｎ ＭＡＣ ＣＥサブヘッド、Ｄ２Ｄ Ｐａｄｄｉｎｇ ＢＳＲを搬送するためのリソース以外の他のＤ２ＤＭＡＣ ＣＥサブヘッド、Ｄ２Ｎ Ｐａｄｄｉｎｇ ＢＳＲ ＭＡＣ ＣＥサブヘッド、Ｄ２Ｄ Ｐａｄｄｉｎｇ ＢＳＲ ＭＡＣ ＣＥサブヘッド、Ｄ２Ｎデータに対応するＭＡＣサブヘッド。
【００３２】
本発明の上述の実施例において、ＵＥはＤ２Ｎ ＭＡＣ ＰＤＵを整理する場合Ｐａｄｄｉｎｇリソースサイズを決定し、Ｐａｄｄｉｎｇリソースサイズ及びＤ２Ｄ Ｐａｄｄｉｎｇ ＢＳＲ ＭＡＣ ＣＥの優先レベルに基づきＤ２Ｄ Ｐａｄｄｉｎｇ ＢＳＲをトリガーするか否かを判断する。こうして、Ｄ２Ｄ Ｐａｄｄｉｎｇ ＢＳＲトリガーメカニズムを実現する。
【００３３】
上述の実施例と同様な思想に基づき、本発明に係る実施例は、ＢＳＲトリガー装置をさらに提供し、図９に示すように、当該装置は、決定ユニット９１と、判断ユニット９２とを備える。
【００３４】
前記決定ユニット９１は、Ｄ２Ｎ ＭＡＣ ＰＤＵを整理する場合Ｐａｄｄｉｎｇリソースサイズを決定する。前記Ｄ２Ｎ ＭＡＣ ＰＤＵはＤ２Ｎネットワークリンクにおけるメディア接続制御層のプロトコルデータユニットである。
【００３５】
前記判断ユニット９２は、前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断する。前記Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントであり、前記Ｄ２Ｄ Ｐａｄｄｉｎｇ ＢＳＲはＤ２Ｄ通信のパディングバッファ状態報告である。
【００３６】
このましくは、前記判断ユニット９２は、Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより低い場合、前記ＰａｄｄｉｎｇリソースがＤ２Ｄ Ｐａｄｄｉｎｇ ＢＳＲ及びＤ２Ｎ Ｐａｄｄｉｎｇ ＢＳＲの搬送に十分に足りる場合、Ｄ２Ｄ Ｐａｄｄｉｎｇ ＢＳＲ及びＤ２Ｎ Ｐａｄｄｉｎｇ ＢＳＲをトリガーするように決定する。前記ＰａｄｄｉｎｇリソースがＤ２Ｎ Ｐａｄｄｉｎｇ ＢＳＲを伝送した後、残りリソースがＤ２Ｄ Ｐａｄｄｉｎｇ ＢＳＲの伝送に足りない場合、Ｄ２Ｎ Ｐａｄｄｉｎｇ ＢＳＲをトリガーするがＤ２Ｎ Ｐａｄｄｉｎｇ ＢＳＲをトリガーしないように決定する。前記Ｄ２Ｎ Ｐａｄｄｉｎｇ ＢＳＲはＤ２Ｎネットワークリンクのパディングバッファ状態報告である。Ｄ２Ｄ Ｐａｄｄｉｎｇ ＢＳＲ ＭＡＣ ＣＥの優先レベルがＤ２Ｎ Ｐａｄｄｉｎｇ ＢＳＲ ＭＡＣ ＣＥの優先レベルより高い場合、前記ＰａｄｄｉｎｇリソースがＤ２Ｄ Ｐａｄｄｉｎｇ ＢＳＲの伝送に十分に足りる場合、Ｄ２Ｄ Ｐａｄｄｉｎｇ ＢＳＲをトリガーするように決定する。
【００３７】
このましくは、前記判断ユニット９２は、前記ＰａｄｄｉｎｇリソースがＤ２Ｄ Ｐａｄｄｉｎｇ ＢＳＲを伝送した後、残りリソースがＤ２Ｎ Ｐａｄｄｉｎｇ ＢＳＲの伝送に足りない場合、Ｄ２Ｄ Ｐａｄｄｉｎｇ ＢＳＲをトリガーするがＤ２Ｎ Ｐａｄｄｉｎｇ ＢＳＲをトリガーしないように決定する。前記ＰａｄｄｉｎｇリソースがＤ２Ｄ Ｐａｄｄｉｎｇ ＢＳＲ及びＤ２Ｎ Ｐａｄｄｉｎｇ ＢＳＲの伝送に十分に足りる場合、Ｄ２Ｄ Ｐａｄｄｉｎｇ ＢＳＲ及びＤ２Ｎ Ｐａｄｄｉｎｇ ＢＳＲをトリガーするように決定する。
【００３８】
このましくは、前記決定ユニット９１は、前記Ｄ２Ｎ ＭＡＣ ＰＤＵが位置するサブフレームにおける前記ＵＥのアップリンクリソースから、以下のリソースを引いて、前記Ｐａｄｄｉｎｇリソースサイズを取得する
◎  Ｄ２Ｎ Ｐａｄｄｉｎｇ ＢＳＲを搬送する以外の他のＤ２Ｎ ＭＡＣ ＣＥにより占有されたリソース、前記に有されたリソースはＭＡＣサブヘッド及びペイロードに占有されたリソースを含む。
【００３９】
◎  及び、アップリンク共有制御チャネル（ＵＬ−ＣＣＣＨ）以外、Ｄ２Ｎリンクにおけるロジカルチャネルデータに占有されたリソース、前記占有されたリソースはＭＡＣサブヘッド及びペイロードに占有されたリソースを含む。
【００４０】
◎  及び、Ｄ２Ｄ Ｐａｄｄｉｎｇ ＢＳＲを搬送するためのリソース以外の他のＤ２ＤＭＡＣ ＣＥにより占有されたリソース、前記占有されたリソースはＭＡＣサブヘッド及びペイロードに占有されたリソースを含む。
【００４１】
このましくは、前記決定ユニット９１は、第１優先レベル順番または第２優先レベル順番に従い、前記Ｄ２Ｎ ＭＡＣ ＰＤＵが位置するサブフレームにおける前記ＵＥのアップリンクリソースからリソースを引く。前記第１優先レベル順番において、優先レベルの高低順は、前記Ｄ２Ｎ Ｐａｄｄｉｎｇ ＢＳＲを搬送する以外の他のＤ２Ｎ ＭＡＣ ＣＥにより占有されたリソース、前記ＵＬ−ＣＣＣＨ以外のＤ２Ｎリンクにおけるロジカルチャネルデータに占有されたリソース、前記Ｄ２Ｄ Ｐａｄｄｉｎｇ ＢＳＲを搬送するためのリソース以外の他のＤ２Ｄ ＭＡＣ ＣＥにより占有されたリソース、との順番である。前記第２優先レベル順番において、優先レベルの高低順は、前記Ｄ２Ｎ Ｐａｄｄｉｎｇ ＢＳＲを搬送する以外の他のＤ２Ｎ ＭＡＣ ＣＥにより占有されたリソース、前記Ｄ２Ｄ Ｐａｄｄｉｎｇ ＢＳＲを搬送するためのリソース以外の他のＤ２Ｄ ＭＡＣ ＣＥにより占有されたリソース、前記ＵＬ−ＣＣＣＨ以外のＤ２Ｎリンクにおけるロジカルチャネルデータに占有されたリソース、との順番である。
【００４２】
このましくは、前記Ｄ２Ｎ ＭＡＣ ＰＤＵに含まれるＭＡＣ ＣＥに対応するＭＡＣサブヘッドすべては、含まれるデータユニットに対応するＭＡＣサブヘッドの前においておく。前記Ｄ２Ｎ ＭＡＣ ＰＤＵにおいて、前記ＭＡＣ ＣＥ及びデータユニットがＭＡＣ ＰＤＵペイロードにおけるおく順番は対応のＭＡＣサブヘッドのおく順番とマッチする。
【００４３】
本発明の他の実施例はＵＥをさらに提供する。前記ＵＥは本発明の上述の実施例のフローチャートを実施できる。図１０に示すように、前記ＵＥは、送受信機１０１と、メモリ１０２と、プロセッサ１０３とを備える。
【００４４】
前記送受信機１０１は実ニーズに応じてベースバンド処理コンポーネントと、無線周波数処理コンポーネントなどの機器を備えることができ、関連情報を伝送する。
【００４５】
前記メモリ１０２は、１つまた複数の実行可能なプログラムを実行し、前記プロセッサの設定に用いられる。
【００４６】
前記プロセッサ１０３は、１つまたは複数の実行可能なプログラムが設定されており、前記１つまたは複数の実行可能なプログラムは、整理Ｄ２Ｎ ＭＡＣ ＰＤＵ時Ｐａｄｄｉｎｇリソースサイズを決定する方法を実行する。前記Ｄ２Ｎ ＭＡＣ ＰＤＵはＤ２Ｎネットワークリンクにおけるメディア接続制御層のプロトコルデータユニットである。そして、前記Ｐａｄｄｉｎｇリソースサイズ及びＤ２Ｄ Ｐａｄｄｉｎｇ ＢＳＲ ＭＡＣ ＣＥの優先レベルに基づき、Ｄ２Ｄ Ｐａｄｄｉｎｇ ＢＳＲをトリガーするか否かを判断する。前記Ｄ２Ｄ Ｐａｄｄｉｎｇ ＢＳＲ ＭＡＣ ＣＥはＤ２Ｄ通信のパディングバッファ状態報告を搬送するメディア接続制御層制御エレメントである。前記Ｄ２Ｄ Ｐａｄｄｉｎｇ ＢＳＲはＤ２Ｄ通信のパディングバッファ状態報告である。
【００４７】
本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００４８】
これらのコンピュータプログラム指令はコンピュータまたは他のプログラム可能なデータ処理装置に格納されて、コンピュータまたは他のプログラム可能な装置において一連の動作ステップを実施してコンピュータ処理を実現する。これによって、コンピュータ或他のプログラム可能な装置において実行する指令を実行し、フロー図における一つ或いは複数のフローおよび／またはブロック図における一つ或いは複数のブロックに指定する機能のステップを実現する。
【００４９】
上述した実施形態に記述された技術的な解決手段を改造し、或いはその中の一部の技術要素を置換することもできる。そのような、改造と置換は本発明の各実施形態の技術の範囲から逸脱するとは見なされない。
【００５０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【００５１】
本出願は、２０１４年３月３１日に中国特許局に提出し、出願番号が２０１４１０１２５８６４．６であり、発明名称が「バッファ状態報告（ＢＳＲ）のトリガー方法及び装置」との中国特許出願を基礎とする優先権を主張し、その開示の総てをここに取り込む。
【図１】
0006383433.tif 000002
【図２】
0006383433.tif 000003
【図３】
0006383433.tif 000004
【図４】
0006383433.tif 000005
【図５】
0006383433.tif 000006
【図６】
0006383433.tif 000007
【図７】
0006383433.tif 000008
【図８】
0006383433.tif 000009
【図９】
0006383433.tif 000010
【図１０】
0006383433.tif 000011